【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
圧電現象を利用することによって電気信号と超音波信号とを相互に変換する積層型圧電素子において、
有機圧電材料から成るシート状の有機圧電層と、前記有機圧電層の一方主面上に形成された電極層と、前記有機圧電層の他方主面上に形成された接着層とを備える有機圧電シートを複数積層した有機圧電体を備えること
を特徴とする積層型圧電素子。
【請求項２】
前記有機圧電材料は、フッ化ビニリデンをモノマーとして含む共重合体を含むこと
を特徴とする請求項１に記載の積層型圧電素子。
【請求項３】
前記有機圧電材料は、イソシアナート基を２個以上有するモノマーとアミン基を２個以上有するモノマーとの気相法縮重合で形成されるポリ尿素重合体を含むこと
を特徴とする請求項１に記載の積層型圧電素子。
【請求項４】
前記有機圧電体に積層され、無機圧電材料を備えて成り、圧電現象を利用することによって電気信号と超音波信号とを相互に変換可能な無機圧電素子をさらに備えること
を特徴とする請求項１ないし請求項３のいずれか１項に記載の積層型圧電素子。
【請求項５】
有機圧電材料から成るシート状の有機圧電層の一方主面上に、気相法によって電極層を形成する第１電極層形成工程と、
前記有機圧電層の他方主面上に、接着剤を塗布することによって接着層を形成する接着層形成工程と、
前記第１電極層形成工程と前記接着層形成工程とによって作製された前記有機圧電層と前記電極層と前記接着層とを備える複数の第１有機圧電シートを、前記複数の有機圧電シートのうちの一の有機圧電シートにおける接着層と他の有機圧電シートにおける電極層とが互いに接合するように、積層する第１積層工程と、
前記第１積層工程によって作製された前記第１有機圧電シートを積層した前記有機圧電体を加圧すると共に加温する加圧加温処理工程とを備えること
を特徴とする積層型圧電素子の製造方法。
【請求項６】
有機圧電材料から成るシート状の有機圧電層の両主面上に、気相法によって電極層を形成する第２電極層形成工程と、
前記第１積層工程によって作製された複数の有機圧電シートを積層した有機圧電体における外部に露出した接着層上に、前記第２電極層形成工程によって作製された前記有機圧電層と前記両電極層とを備える第２有機圧電シートを積層する第２積層工程とをさらに備えること
を特徴とする請求項５に記載の積層型圧電素子の製造方法。
【請求項７】
前記有機圧電材料は、フッ化ビニリデンをモノマーとして含む共重合体を含むこと
を特徴とする請求項５または請求項６に記載の積層型圧電素子の製造方法。
【請求項８】
前記有機圧電材料は、イソシアナート基を２個以上有するモノマーとアミン基を２個以上有するモノマーとの気相法縮重合で形成されるポリ尿素重合体を含むこと
を特徴とする請求項５または請求項６に記載の積層型圧電素子の製造方法。
【請求項９】
前記接着剤は、エポキシ系接着剤であること
を特徴とする請求項５ないし請求項８のいずれか１項に記載の積層型圧電素子の製造方法。
【請求項１０】
前記加圧加温処理工程において、加圧圧力が１ｋＰａから１００ＧＰａまでの範囲におけるいずれかの値であり、加温温度が２０℃から２００℃までの範囲におけるいずれかの値であり、加圧加温処理時間が１分から７２時間までの範囲におけるいずれかの値であること
を特徴とする請求項５ないし請求項９のいずれか１項に記載の積層型圧電素子の製造方法。
【請求項１１】
請求項１ないし請求項４のいずれか１項に記載の積層型圧電素子を備えること
を特徴とする超音波探触子。
【請求項１２】
請求項１１に記載の超音波探触子を備えること
を特徴とする超音波診断装置。
【手続補正２】
【補正対象書類名】明細書
【補正対象項目名】００１１
【補正方法】変更
【補正の内容】
【００１１】
また、上述の積層型圧電素子において、前記有機圧電材料は、フッ化ビニリデンをモノマーとして含む共重合体を含むことを特徴とする。また、上述の積層型圧電素子において、前記有機圧電材料は、イソシアナート基を２個以上有するモノマーとアミン基を２個以上有するモノマーとの気相法縮重合で形成されるポリ尿素重合体を含むことを特徴とする。
【手続補正３】
【補正対象書類名】明細書
【補正対象項目名】００１３
【補正方法】変更
【補正の内容】
【００１３】
また、これら上述の積層型圧電素子において、前記有機圧電体に積層され、無機圧電材料を備えて成り、圧電現象を利用することによって電気信号と超音波信号とを相互に変換可能な無機圧電素子をさらに備えることを特徴とする。
【手続補正４】
【補正対象書類名】明細書
【補正対象項目名】００１５
【補正方法】変更
【補正の内容】
【００１５】
そして、本発明の他の一態様にかかる積層型圧電素子の製造方法は、有機圧電材料から成るシート状の有機圧電層の一方主面上に、気相法によって電極層を形成する第１電極層形成工程と、前記有機圧電層の他方主面上に、接着剤を塗布することによって接着層を形成する接着層形成工程と、前記第１電極層形成工程と前記接着層形成工程とによって作製された前記有機圧電層と前記電極層と前記接着層とを備える複数の第１有機圧電シートを、前記複数の有機圧電シートのうちの一の有機圧電シートにおける接着層と他の有機圧電シートにおける電極層とが互いに接合するように、積層する第１積層工程と、前記第１積層工程によって作製された前記第１有機圧電シートを積層した前記有機圧電体を加圧すると共に加温する加圧加温処理工程とを備えることを特徴とする。そして、上述の積層型圧電素子の製造方法において、好ましくは、有機圧電材料から成るシート状の有機圧電層の両主面上に、気相法によって電極層を形成する第２電極層形成工程と、前記第１積層工程によって作製された複数の有機圧電シートを積層した有機圧電体における外部に露出した接着層上に、前記第２電極層形成工程によって作製された前記有機圧電層と前記両電極層とを備える第２有機圧電シートを積層する第２積層工程とをさらに備えることである。
【手続補正５】
【補正対象書類名】明細書
【補正対象項目名】００１７
【補正方法】変更
【補正の内容】
【００１７】
また、上述の積層型圧電素子の製造方法において、前記有機圧電材料は、フッ化ビニリデンをモノマーとして含む共重合体を含むことを特徴とする。また、上述の積層型圧電素子の製造方法において、前記有機圧電材料は、イソシアナート基を２個以上有するモノマーとアミン基を２個以上有するモノマーとの気相法縮重合で形成されるポリ尿素重合体を含むことを特徴とする。上記構成によれば、有機圧電材料が比較的大きな電気機械結合定数（圧電効果）を有し、このような有機圧電材料から構成される有機圧電シートは、電気信号と超音波信号とを相互により効率よく変換することができ、圧電体として好適となる。したがって、上記構成によれば、電気信号と超音波信号とを相互により効率よく変換することができる積層型圧電素子を提供することができる。
【手続補正６】
【補正対象書類名】明細書
【補正対象項目名】００１８
【補正方法】変更
【補正の内容】
【００１８】
また、これら上述の積層型圧電素子の製造方法において、前記接着剤は、エポキシ系接着剤であることを特徴とする。
【手続補正７】
【補正対象書類名】明細書
【補正対象項目名】００１９
【補正方法】変更
【補正の内容】
【００１９】
また、これら上述の積層型圧電素子の製造方法において、前記加圧加温処理工程において、加圧圧力が１ｋＰａから１００ＧＰａまでの範囲におけるいずれかの値であり、加温温度が２０℃から２００℃までの範囲におけるいずれかの値であり、加圧加温処理時間が１分から７２時間までの範囲におけるいずれかの値であることを特徴とする。